(57)【要約】【課題】積み木部材相互の接触部分に接合部材を用いることなく、積み木部材をアーチ形状に一斉に積み上げることを容易にする積み木セットを提供する。【解決手段】この積み木セット１は、多数個の形状の異なる板状の積み木部材２Ａ、２Ｂ１、・・・を積み上げることにより、外周辺が四角形を形成するとともに中央部下方が切除されたアーチ形状を形成する積み木部材一式２と、アーチ形状に形成された積み木部材一式２の外周辺に対応する四角形の底部３ａと、アーチ形状に形成された積み木部材一式２の上面に当接するよう底部３ａの上端から立設された上方側部３ｂと、アーチ形状に形成された積み木部材一式２の一方の外側面に当接するよう底部３ａの側端から立設された側方側部３ｃと、を有した積み木ケース３と、を備える。【選択図】図１
2010131094.tif 000002
【特許請求の範囲】
【請求項１】
多数個の形状の異なる板状の積み木部材を積み上げることにより、外周辺が四角形を形成するとともに中央部下方が切除されたアーチ形状を形成する積み木部材一式と、
そのアーチ形状に形成された積み木部材一式の外周辺に対応する四角形の底部と、アーチ形状に形成された積み木部材一式の上面に当接するよう底部の上端から立設された上方側部と、アーチ形状に形成された積み木部材一式の一方の外側面に当接するよう底部の側端から立設された側方側部と、を有した積み木ケースと、
を備えることを特徴とする積み木セット。
【請求項２】
請求項１に記載の積み木セットにおいて、
積み木ケースの底部の縦方向長さは、アーチ形状に形成された積み木部材一式の高さより短いことを特徴とする積み木セット。
【請求項３】
請求項１又は２に記載の積み木セットにおいて、
積み木ケースの底部に、アーチ形状に形成された積み木部材一式を構成する積み木部材の各々の境目の形状が描かれていることを特徴とする積み木セット。
【請求項４】
請求項１乃至３のいずれかに記載の積み木セットにおいて、
四角形の底部と、前記積み木ケースの上方側部の外側面に当接するよう底部の上端から立設された上方側部と、アーチ形状に形成された積み木部材一式の他方の外側面に当接するよう底部の側端から立設された側方側部と、を有した補助積み木ケースを更に備えることを特徴とする積み木セット。
【発明の詳細な説明】
【技術分野】
【０００１】
本発明は、多数個からなる積み木部材一式を精密で安定したアーチ形状に一斉に積み上げることを容易にする積み木セットに関する。
【背景技術】
【０００２】
多数個の積み木部材を、アーチ形状に積み上げる形式の積み木は、積み上げた形状が美しいこととそれが崩壊する危うさがあることから、愛好者が多い。従来、この種の積み木は、愛好者が自身の手で積み木部材の位置を微調整しながら一つ一つ積み上げてゆくものである。また、多数の積み木部材を安定して積み上げたいという要望には、積み木部材相互の接触部分にマグネットや楔などの接合部材を用いて接合を強めるという提案がなされている。本願発明者も、特許文献１において、球状のインサート部材を接合部材とし、積み木部材相互の接触部分をインサート部材が挿入できる形状とすることで、積み木部材を安定したアーチ形状に積み上げることができるものを提案している。
【０００３】
【特許文献１】実開昭６３−１０９２００
【発明の開示】
【発明が解決しようとする課題】
【０００４】
しかしながら、接合部材を用いて接合を強めた場合、積み木部材を積み上げる作業が繁雑になったり、接合部材があることにより積み上げた形状や積み上げる前の積み木部材自体の形状の美感が損なわれたりする。
【０００５】
本発明は係る事由に鑑みてなされたものであり、その目的は、積み木部材相互の接触部分に接合部材を用いることなく、多数個の積み木部材を一斉にアーチ形状に積み上げることを容易にする積み木セットを提供することにある。
【課題を解決するための手段】
【０００６】
上記目的を達成するために、請求項１に記載の積み木セットは、多数個の形状の異なる板状の積み木部材を積み上げることにより、外周辺が四角形を形成するとともに中央部下方が切除された形のアーチ形状を形成する積み木部材一式と、そのアーチ形状に形成された積み木部材一式の外周辺に対応する四角形の底部と、アーチ形状に形成された積み木部材一式の上面に当接するよう底部の上端から立設された上方側部と、アーチ形状に形成された積み木部材一式の一方の外側面に当接するよう底部の側端から立設された側方側部と、を有した積み木ケースと、を備えることを特徴とする。
【０００７】
請求項２に記載の積み木セットは、請求項１に記載の積み木セットにおいて、積み木ケースの底部の縦方向長さは、アーチ形状に形成された積み木の高さより短いことを特徴とする。
【０００８】
請求項３に記載の積み木セットは、請求項１又は２に記載の積み木セットにおいて、積み木ケースの底部に、アーチ形状に形成された積み木部材一式を構成する積み木部材の各々の境目の形状が描かれていることを特徴とする。
【０００９】
請求項４に記載の積み木セットは、請求項１乃至３のいずれかに記載の積み木セットにおいて、四角形の底部と、前記積み木ケースの上方側部の外側面に当接するよう底部の上端から立設された上方側部と、アーチ形状に形成された積み木部材一式の他方の外側面に当接するよう底部の側端から立設された側方側部と、を有した補助積み木ケースを更に備えることを特徴とする。
【発明の効果】
【００１０】
本発明の積み木セットによれば、特定形状の積み木ケースを備えたことにより、多数個の積み木部材一式を、接合部材を用いなくても容易に、しかも一斉に、精密で安定した立体のアーチ形状に積み上げることができる。
【発明を実施するための最良の形態】
【００１１】
以下、本発明を実施するための最良の形態を図面を参照しながら説明する。本発明の実施形態に係る積み木セット１は、多数個の形状の異なる板状の積み木部材を積み上げることにより、外周辺が四角形を形成するとともに中央部下方が切除された形のアーチ形状を形成する積み木部材一式２と、積み木ケース３と、有して成る。図１（ａ）は、アーチ形状を形成した積み木部材一式２を示す正面図であり、同図（ｂ）は積み木ケース３を示す正面図であり、同図（ｃ）は積み木ケース３にアーチ形状を形成した積み木部材一式２を収容した状態の積み木セット１の正面図である。
【００１２】
この積み木部材一式２の積み木部材は、より詳しくは、中央部積み木部材２Ａと、中央部積み木部材２Ａを挟持するように対称に配される中間部積み木部材２Ｂ１、２Ｂ２、２Ｂ３、２Ｂ４、２Ｃ１、２Ｃ２、２Ｄ１、２Ｄ２と、アーチ形状の最下位の基部をなすものである基部積み木部材２Ｅ１、２Ｅ２と、を有する。図２は、中央部積み木部材２Ａを示すものであって、（ａ）は正面図、（ｂ）は底面図である。ｔは、中央部積み木部材２Ａの厚さである。他の積み木部材２Ｂ１、２Ｂ２、２Ｂ３、２Ｂ４、２Ｃ１、２Ｃ２、２Ｄ１、２Ｄ２、２Ｅ１、２Ｅ２の個別の図示は省略するが、それらの厚さはｔと同じである。
【００１３】
積み木部材一式２が形成するアーチ形状の縦横サイズなどは、変更可能である。また、積み木部材一式２を構成する各積み木部材の形状や数量なども、変更可能である。例えば、後述の図６に示すように、積み木部材一式６や積み木部材一式８のようなアーチ形状も可能である。
【００１４】
図３（ａ）、（ｂ）はそれぞれ、積み木ケース３の底面図、左側面図である。積み木ケース３は、図１（ｂ）と図３（ａ）、（ｂ）に示すように、アーチ形状に形成された積み木部材一式２の外周辺に対応する四角形の底部３ａと、アーチ形状に形成された積み木部材一式２の上面に当接するよう底部３ａの上端から立設された上方側部３ｂと、アーチ形状に形成された積み木部材一式２の一方の外側面に当接するよう底部３ａの側端から立設された側方側部３ｃと、を有する。これにより、積み木ケース３における下方と積み木部材一式２の他方の外側面側の二方向が開放されている。なお、図１（ｂ）と図３（ａ）、（ｂ）では、側方側部３ｃは積み木部材一式２の右方の外側面に当接するように立設されているが、積み木部材一式２の左方の外側面に当接するように立設されたものであってもよい。
【００１５】
積み木ケース３の底部３ａ縦方向長さＬ３は、アーチ形状に形成された積み木部材一式２の高さよりも短くすることが好ましい。これにより、後述のように、積み木部材一式２を、最下位の基部積み木部材２Ｅ１、２Ｅ２の下面２Ｅ１ａ、２Ｅ２ａを床面に接触させるようにして起立させたとき、下面２Ｅ１ａ、２Ｅ２ａの全面が確実に床面に接触した状態で積み木ケース３を外すことで、微振動による直後の崩壊の可能性を減じることができる。なお、積み木ケース３の底部３ａの横方向長さＷ３は、アーチ形状に形成された積み木部材一式２の横幅の長さとほぼ同じでよい。また、積み木ケース３の上方側部３ｂと側方側部３ｃの高さＨ３は、積み木部材一式２を構成する積み木部材の厚さｔとほぼ同じでよい。
【００１６】
積み木ケース３自体の各部の厚さは、積み木ケース３の強度が保たれれば任意である。また、透明でも不透明でもどちらでも構わない。また、図１（ｂ）では図示していないが、積み木ケース３の底部３ａに、アーチ形状に形成された積み木部材一式２を構成する積み木部材の各々の境目の形状が描かれていると、各々の所定の位置への配置作業が極めて容易となる。
【００１７】
積み木部材を立体のアーチ形状に積み上げる作業を、積み木部材一式２を例として以下に説明する。まず、床面に積み木ケース３の底部３ａの裏面を接触させて載置する。次に、底部３ａの表面の所定位置に、図１（ｃ）に示すように、各積み木部材２Ａ、２Ｂ１、２Ｂ２、２Ｂ３、２Ｂ４、２Ｃ１、２Ｃ２、２Ｄ１、２Ｄ２、２Ｅ１、２Ｅ２を配置収容する。この時点において、部材相互のズレがあってもかまわない。次に、積み木部材一式を配置収容した状態の積み木ケース３全体を両手で持ち上げてアーチ上面側に傾斜させるとともに積み木ケース３の開放側二方向から手で押し付けるようにして、各積み木部材２Ａ、２Ｂ１、２Ｂ２、２Ｂ３、２Ｂ４、２Ｃ１、２Ｃ２、２Ｄ１、２Ｄ２、２Ｅ１、２Ｅ２間の空隙とズレがないように形状を整える。次に、基部積み木部材２Ｅ１、２Ｅ２とそれに隣接する中間部積み木部材２Ｄ１、２Ｄ２等を押さえながら、下面２Ｅ１ａ、２Ｅ２ａを床面に接触させるようにして部材の全部を積み木ケース３とともに手前に起立させる。その後、積み木ケース３をゆっくりと斜め後方に向かって外す。こうして、積み木部材一式２を立体のアーチ形状に積み上げる。
【００１８】
以上の例のように、積み木ケース３を用いることにより、水平に配置収納された積み木部材一式２を、接合部材を用いなくても容易に、しかも一斉に、精密で安定した立体のアーチ形状に積み上げることができる。積み上げた積み木部材一式２は、積み木部材相互の接触部分に接合部材を用いていないので、崩壊する危うさを含むシンプルな美感を有する。また、崩壊したときにも、その瞬間の美感が従来技術の接合部材などの他部材によって損なわれることもない。また、積み木部材一式２を構成する各積み木部材自体の形状の美感も、接合部材を用いていないので、損なわれていない。
【００１９】
次に、積み木セット１に補助積み木ケース４を更に有するようにしたものを説明する。図４は補助積み木ケース４を示すものであって、（ａ）が正面図、（ｂ）が底面図、（ｃ）が右側面図である。補助積み木ケース４は、四角形の底部４ａ、積み木ケースの上方側部３ｂの外側面に当接するよう底部４ａの上端から立設された上方側部４ｂ、アーチ形状に形成された積み木部材一式２の他方の外側面に当接するよう底部４ａの側端から立設された側方側部４ｃ、と、を有する。これにより、補助積み木ケース４における下方と積み木部材一式２の一方の外側面側の二方向が開放されている。側方側部４ｃは、積み木ケース３の側方側部３ｃが底部３ａの右側の側端に立設されているときは、底部４ａの左側の側端に立設され、積み木ケース３の側方側部３ｃが底部３ａの左側の側端に立設されているときは、底部４ａの右側の側端に立設される。補助積み木ケース４の底部４ａの横方向長さＷ４は、積み木ケース３の底部３ａの横方向長さＷ３よりも短い。補助積み木ケース４の底部４ａの縦方向長さＬ４は、積み木ケース３の底部３ａの縦方向長さＬ３とほぼ同じでよい。
【００２０】
補助積み木ケース４を用いて積み木部材一式２をアーチ形状に積み上げる作業を以下に説明する。図５は、積み木ケース３と補助積み木ケース４に積み木部材一式２を収容した状態の正面図である。まず、補助積み木ケース４を積み木ケース３の底部３ａの裏面に重ね、床面に補助積み木ケース４の底部４ａの裏面及び積み木ケース３の底部３ａの裏面を接触させて載置する。次に、積み木ケース３のみの場合と同様に、積み木ケース３に積み木部材一式２の各積み木部材２Ａ、２Ｂ１、２Ｂ２、２Ｂ３、２Ｂ４、２Ｃ１、２Ｃ２、２Ｄ１、２Ｄ２、２Ｅ１、２Ｅ２を所定位置に収容する。この場合、各積み木部材２Ａ、２Ｂ１、２Ｂ２、２Ｂ３、２Ｂ４、２Ｃ１、２Ｃ２、２Ｄ１、２Ｄ２、２Ｅ１、２Ｅ２間の微妙なずれがないように、補助積み木ケース４を介して積み木部材一式２の他方の外側面側の方向から圧力を加え、下方からは直接手で圧力を加えて形を整える。その後、補助積み木ケース４を介して積み木部材一式２の他方の外側面側の方向から圧力を加え、基部積み木部材２Ｅ１、２Ｅ２とそれに隣接する中間部積み木部材２Ｄ１、２Ｄ２等を押さえながら、下面２Ｅ１ａ、２Ｅ２ａを床面に押し付けるように起立させる。その後、補助積み木ケース４をゆっくり積み木部材一式２の他方の外側面から斜め後方に向かって外し、次いで積み木ケース３をゆっくり積み木部材一式２の一方の外側面から斜め後方に向かって外す。
【００２１】
以上のように、積み木部材一式２は、補助積み木ケース４と積み木ケース３とを組み合わせて用いることにより、さらに精密で安定した立体のアーチ形状に積み上げることができる。
【００２２】
次に、積み木部材一式２の保管について説明する。図６は、積み木部材一式２を積み木ケース３に収容した状態で、補助積み木ケース４とともに収納箱（例えば、木箱）５に詰めた例示の正面図である。収納箱５は、外枠部５ａと１個の仕切り部５ｂを有している。収納箱５には、仕切り部５ｂの下方に、他のアーチ形状を形成する積み木部材６Ａ、６Ｂ１、６Ｂ２、６Ｂ３、６Ｂ４、６Ｃ１、６Ｃ２、６Ｄ１、６Ｄ２、６Ｅ１、６Ｅ２から構成される積み木部材一式６と、更に他のアーチ形状を形成する積み木部材８Ａ、８Ｂ１、８Ｂ２、８Ｄ１、８Ｄ２、８Ｅ１、８Ｅ２から構成される積み木部材一式８が、それぞれ積み木ケース７と積み木ケース９に収納された状態で、詰められている。なお、図６の例では、図から分かるように、多くの積み木部材の形状が共通化されており、アーチ形状の外周辺の縦横比は、積み木部材一式２によるものは４：７、積み木部材一式６によるものは４：６、積み木部材一式８によるものは４：４となっている。収納箱５を小さくして、積み木部材一式２と積み木ケース３のみ、或いは、それに補助積み木ケース４を詰めるだけにすることも勿論可能である。このような収納箱５には、蓋（図示せず）が被されて、保管され或いは運搬される。
【００２３】
積み木部材一式２を積み木ケース３に収容した状態で収納箱５に詰めると、保管作業が容易であり、また、詰めた後に、収納箱５の外枠部５ａ又は仕切り部５ｂと積み木ケース３によりアーチ形状に固定され、積み木部材一式２がバラバラになり難くなる。
【図面の簡単な説明】
【００２４】
【図１】本発明の実施形態に係る積み木セットを示す各正面図である。
【図２】同上の積み木セットの中央部積み木部材を示す正面図、底面図である。
【図３】同上の積み木セットの積み木ケースの底面図、左側面図である。
【図４】同上の積み木セットの補助積み木ケースを示す正面図、底面図、右側面図である。
【図５】同上の補助積み木ケースを用いた積み木セットを示す正面図である。
【図６】同上の積み木セットを収納箱に詰めた例示の正面図である。
【符号の説明】
【００２５】
１    積み木セット
２    積み木部材一式
２Ａ  積み木の中央部積み木部材
２Ｂ１、２Ｂ２、２Ｂ３、２Ｂ４、２Ｃ１、２Ｃ２、２Ｄ１、２Ｄ２  積み木の中間部積み木部材
２Ｅ１、２Ｅ２  積み木の基部積み木部材  
３    積み木ケース
３ａ  積み木ケースの底部
３ｂ  積み木ケースの上方側部
３ｃ  積み木ケースの側方側部
４    補助積み木ケース
４ａ  補助積み木ケースの底部
４ｂ  補助積み木ケースの上方側部
４ｃ  補助積み木ケースの側方側部
【図１】
2010131094.tif 000003
【図２】
2010131094.tif 000004
【図３】
2010131094.tif 000005
【図４】
2010131094.tif 000006
【図５】
2010131094.tif 000007
【図６】
2010131094.tif 000008